(57)【要約】【課題】閉ループ型アンテナ選択ダイバーシチにおいて、基地局装置からユーザ装置に通知されるアンテナ選択情報の誤り率を改善すること。【解決手段】基地局装置は、複数のリソースユニットを含む所定の周波数帯域にわたって、ユーザ装置の送信アンテナ毎にチャネル状態を示す品質情報を記憶する手段と、品質情報から、リソースユニットの割当計画を示すスケジューリング情報を作成するスケジューリング手段と、スケジューリング情報及びアンテナ選択情報を含む低レイヤ制御信号をユーザ装置に送信する手段とを有する。アンテナ選択情報は、ユーザ装置に備わる複数の送信アンテナの内どの送信アンテナで送信を行うべきかを示す。アンテナ選択情報とスケジューリング情報とが共にチャネル符号化される。【選択図】図５
2008199423.tif 000002
【特許請求の範囲】
【請求項１】
複数のリソースユニットを含む所定の周波数帯域にわたって、ユーザ装置の送信アンテナ毎にチャネル状態を示す品質情報を記憶する手段と、
前記品質情報から、リソースユニットの割当計画を示すスケジューリング情報を作成するスケジューリング手段と、
スケジューリング情報及びアンテナ選択情報を含む低レイヤ制御信号をユーザ装置に送信する手段と、
を有し、前記アンテナ選択情報は、ユーザ装置に備わる複数の送信アンテナの内どの送信アンテナで送信を行うべきかを示し、
前記アンテナ選択情報と前記スケジューリング情報とが共にチャネル符号化される
ことを特徴とする基地局装置。
【請求項２】
前記スケジューリング手段は、ユーザ装置に割り当てられるリソースユニットを示すリソースユニット割当情報、アンテナ選択情報、上り送信に使用される伝送フォーマット情報及び上り信号の送信電力情報を決定する
ことを特徴とする請求項１記載の基地局装置。
【請求項３】
リソースユニット割当情報、伝送フォーマット情報及び送信電力情報は、スケジューリング情報がアンテナ選択情報と共にチャネル符号化されるか否かに依存しないビット数で表現される
ことを特徴とする請求項２記載の基地局装置。
【請求項４】
リソースユニット割当情報、伝送フォーマット情報又は送信電力情報の少なくとも１つは、スケジューリング情報がアンテナ選択情報と共にチャネル符号化されるか否かに依存して異なるビット数で表現される
ことを特徴とする請求項２記載の基地局装置。
【請求項５】
アンテナ選択情報が、複数のサブフレームにわたって分散してユーザ装置に通知される
ことを特徴とする請求項１記載の基地局装置。
【請求項６】
スケジューリング情報及びアンテナ選択情報を含む低レイヤ制御信号を基地局装置から受信する手段と、
前記低レイヤ制御信号をチャネル復号及びデータ復調し、前記スケジューリング情報からリソースユニットの割当計画を確認する手段と、
前記アンテナ選択情報に従って複数の送信アンテナの中から送信アンテナを選択し、該送信アンテナを用いて、割り当てられたリソースユニットで上り信号を送信する手段と、
を有し、前記アンテナ選択情報は、前記スケジューリング情報と共にチャネル符号化された状態で前記低レイヤ制御信号に含まれている
ことを特徴とするユーザ装置。
【請求項７】
複数のリソースユニットを含む所定の周波数帯域にわたってユーザ装置の送信アンテナ毎にチャネル状態を示す品質情報から、リソースユニットの割当計画を示すスケジューリング情報が基地局装置で作成されるスケジューリングステップと、
スケジューリング情報及びアンテナ選択情報を含む低レイヤ制御信号がユーザ装置に送信されるステップと、
前記低レイヤ制御信号が復号及び復調され、前記スケジューリング情報からリソースユニットの割当計画がユーザ装置で確認されるステップと、
前記アンテナ選択情報に従って複数の送信アンテナの中から送信アンテナが選択され、該送信アンテナを用いて、割り当てられたリソースユニットで上り信号が送信されるステップと、
を有し、前記アンテナ選択情報は、ユーザ装置に備わる複数の送信アンテナの内どの送信アンテナで送信を行うべきかを示し、
前記アンテナ選択情報と前記スケジューリング情報とは基地局装置で共にチャネル符号化される
ことを特徴とする方法。
【発明の詳細な説明】
【技術分野】
【０００１】
本発明は移動通信の技術分野に関し、特に閉ループ型アンテナ選択ダイバーシチ(Closed-loop  Type  ASTD(Antenna  Switching  Transmission  Diversity))を行う移動通信システムにおける基地局装置、ユーザ装置及び方法に関する。
【背景技術】
【０００２】
移動通信システムでは伝送品質を向上させるため、通信装置に送信アンテナを複数用意し、送信ダイバーシチを行うことがある。送信ダイバーシチは大別してオープンループ型とクローズドループ型とがある。オープンループ型(開ループ型)では予め定められた選択パターンで送信アンテナが選択される。クローズドループ型(閉ループ型)では、通信相手からのフィードバックに従って、適切な送信アンテナが選択される。
【０００３】
図１は閉ループ型アンテナ選択ダイバーシチが上りリンクに適用された様子を示す。先ず、各送信アンテナから送信されたリファレンス信号に基づいて、送信アンテナ毎にチャネル状態の良否が判定される。チャネル状態の良否は例えばチャネル品質インジケータ(CQI)で表現される。そして、良いチャネル状態に関連する送信アンテナが判定され、その判定結果がアンテナ選択情報として送信元にフィードバックされる。
【０００４】
図２はユーザ装置に２つの送信アンテナが備わっている場合に、各送信アンテナからリファレンス信号及びデータ信号が送信される様子を模式的に示す。データ信号は、より良いチャネル状態に対応する送信アンテナから送信される。リファレンス信号は原則としてデータ信号と同じ送信アンテナから送信されるが、或る周期に該当する場合には、データ信号とは異なる送信アンテナから送信される。例えば、４サブフレームのうち１−３番目のサブフレームではデータ信号と同じ送信アンテナで、４番目のサブフレームではデータ信号と異なる送信アンテナでリファレンス信号が送信されるように事前に決定される。これにより双方の送信アンテナに関する伝搬状況を確実に把握しながらアンテナの選択を行うことができる。
【０００５】
上り信号の送信で閉ループ型アンテナ選択ダイバーシチを行うことについては例えば非特許文献１に記載されている。
【非特許文献１】3GPP,  TSG  RAN  WG1  Meeting#47bis,  R1-070097,  2007年1月
【発明の開示】
【発明が解決しようとする課題】
【０００６】
ところで、複数の送信アンテナの内どの送信アンテナが使用されるべきかを示すアンテナ選択情報を表現するビット数は比較的少ない。例えば、４アンテナの場合は高々２ビットで済むし、８アンテナでさえ３ビットで済む。より一般的には、Nアンテナの場合に必要なビット数は、log2Nにしかならない。このことは下り制御信号の情報量を少なくし、オーバーヘッドを抑制する観点からは好ましいが、誤り訂正の観点からは好ましくない。アンテナ選択情報について誤り訂正符号化を行ったとしても符号化利得が十分に得られないからである。このためアンテナ選択情報の誤り率は通信状況によっては高くなってしまうことが懸念される。特にセル端のユーザ装置のチャネル状態は良くないことが多いので、アンテナ選択情報が特に誤りやすくなり、折角アンテナダイバーシチを行ったにもかかわらず、品質の向上を図れなくなってしまうことが懸念される。
【０００７】
本発明の課題は、閉ループ型アンテナ選択ダイバーシチにおいて、基地局装置からユーザ装置に通知されるアンテナ選択情報の誤り率を改善することである。
【課題を解決するための手段】
【０００８】
本発明で使用される基地局装置は、複数のリソースユニットを含む所定の周波数帯域にわたって、ユーザ装置の送信アンテナ毎にチャネル状態を示す品質情報を記憶する手段と、前記品質情報から、リソースユニットの割当計画を示すスケジューリング情報を作成するスケジューリング手段と、スケジューリング情報及びアンテナ選択情報を含む低レイヤ制御信号をユーザ装置に送信する手段とを有する。前記アンテナ選択情報は、ユーザ装置に備わる複数の送信アンテナの内どの送信アンテナで送信を行うべきかを示す。前記アンテナ選択情報と前記スケジューリング情報とが共にチャネル符号化される。
【発明の効果】
【０００９】
本発明によれば、閉ループ型アンテナ選択ダイバーシチにおいて、基地局装置からユーザ装置に通知されるアンテナ選択情報の誤り率を改善することができる。
【発明を実施するための最良の形態】
【００１０】
図３は本発明の一実施例による基地局を示す。図３には、リファレンス信号生成部４２０、CQI測定部４２２、スケジューラ４２４、L1/L2制御信号生成部４２６、データ信号生成部４３０、多重部４３６、高速逆フーリエ変換部(IFFT)４３８、サイクリックプレフィックス付与部(+CP)４４０、RF送信回路４４２及び電力増幅器４４４が描かれている。
【００１１】
リファレンス信号生成部４２０は、下りリンクで伝送されるリファレンス信号を用意する。リファレンス信号は、パイロット信号、トレーニング信号等と言及され、送信側及び受信側で通信開始前に既知の情報を含む信号である。
【００１２】
CQI測定部４２２は、ユーザ装置から受信した品質測定用リファレンス信号に基づいて、各ユーザ装置とのチャネル状態(CQI)を評価する。品質測定用リファレンス信号は、サウンディングリファレンス信号(sounding  reference  signal)とも呼ばれ、定期的に上りリンクで伝送される。このサウンディングリファレンス信号は、チャネル推定部で使用されるチャネル補償用又は復調用のリファレンス信号よりも広い帯域で送信される。チャネル補償に使用されるリファレンス信号は、実際に割り当ての行われたリソースブロックに渡る帯域を占めていればよいが、サウンディングリファレンス信号は、スケジューリングの基礎となる品質測定に使用されるので、全リソースブロックに渡る帯域を占める必要がある。なお、リソースブロック(RB:  Resource  Block)はリソースユニット(RU:  Resource  Unit)と同義的に使用され、共有データチャネルの伝送に割り当てられる単位周波数帯域を意味する。本実施例ではチャネル状態(CQI)は、ユーザ装置の送信アンテナ毎に各リソースユニットについて測定又は推定される。
【００１３】
図４はユーザ装置の送信アンテナ毎に各リソースユニットについてCQIが用意され、例えばメモリに格納されている様子を示す。図示の例では、第１のユーザ装置UE1は２つの送信アンテナを有し、第２のユーザ装置UE2は４つの送信アンテナを有し、第３のユーザ装置は送信アンテナを１つしか備えていない。RU１，RU2，...はリソースユニットを示す。
【００１４】
図３のスケジューラ４２４は、チャネル状態（CQI）の良否や他の判断基準(例えば、送信バッファ滞留量のような公平性を加味する基準等)に基づいて、上下リンクのリソース割り当て内容を計画する。決定された内容は、スケジューリング情報として出力される。スケジューリング情報は、例えば以下の情報を含んでもよい：
・信号の伝送に使用されるリソースユニットを示す情報(リソースユニット割当情報)、
・ユーザ識別情報、
・伝送フォーマット情報（データ変調方式及びチャネル符号化率又はデータサイズ）、
・送信電力情報。
これらのスケジューリング情報に加えて、スケジューラ４２４は、ユーザ装置がどの送信アンテナで送信を行うべきかを示すアンテナ選択情報も用意する。例えば、図４でCQIの良否の観点から、太枠で示されているように、リソースユニットRU1はユーザ装置UE1に、リソースユニットRU2はユーザ装置UE2に割り当てられたとする。この場合、ユーザ装置UE1のアンテナ選択情報は第２の送信アンテナを示し、ユーザ装置UE2のアンテナ選択情報は第３の送信アンテナを示す。
【００１５】
L1/L2制御信号生成部４２６は、送信する制御情報にチャネル符号化及びデータ変調等を行うことでL1/L2制御信号を生成する。L1/L2制御信号は、上記のスケジューリング情報を含んでよいことに加えて、アンテナ選択情報も含む。一般にL1/L2制御信号は１サブフレーム毎にユーザ装置に通知されるが、特定のユーザ装置宛のアンテナ選択情報の全部が一度に１つのL1/L2制御信号で通知されることは必須でなく、アンテナ選択情報は複数のL1/L2制御信号にわたってそのユーザ装置に通知されてもよい。例えば、２ビットで表現されるアンテナ選択情報の１ビット目が第1のサブフレームで通知され、２ビット目が第２のサブフレームで通知されてもよい。L1/L2制御信号(低レイヤ制御信号)はデータ信号とは別に伝送され、データ信号の一部として伝送される高レイヤ制御信号(L3PPCメッセージ、MACコントロールPDU等)と区別される。
【００１６】
上述したようにアンテナ選択情報自体のビット数は比較的少ないので、そのままでは誤り訂正符号化の符号化利得が得られにくい。本実施例では、アンテナ選択情報はスケジューリング情報と共にチャネル符号化(誤り訂正符号化)される。アンテナ選択情報を他の情報(スケジューリング情報等)と別個に符号化するのではなく、スケジューリング情報及びアンテナ選択情報を含む信号が１つの符号化単位を構成し、誤り訂正符号化される。符号化の手法はビタビ符号化、畳み込み符号化、ターボ符号化等当該技術分野で既知の適切な如何なる符号化の手法が使用されてもよい。符号化の情報単位が長くなるので少なくともその分だけ符号化利得が向上し、特にアンテナ選択情報について符号化利得が向上する。
【００１７】
ところで、セル内には様々なユーザ装置が様々な環境で動作している。アンテナ選択情報を要するユーザだけでなく、それを要しないユーザも存在する。従ってスケジューリング情報を通知する際にこれらのユーザを区別するか否かに依存して、いくつかの手法が考えられる。
【００１８】
(1)先ず、アンテナ選択情報を要するか否かに依存して異なる伝送フォーマットが用意されてもよい。説明の便宜上、アンテナ選択情報を要するユーザをユーザＡ、それを要しないユーザをユーザＢとし、アンテナ選択情報のビット数をｍとする。(1)の手法では、ユーザＡのスケジューリング情報は、ユーザＢのスケジューリング情報と同じビット数Ｋで表現される。但し、ユーザＡについてはスケジューリング情報だけで符号化単位(K)が構成されるが、ユーザＢについてはスケジューリング情報及びアンテナ選択情報を含むより長いビット数の信号(K+m)で符号化単位が構成される。この手法は、アンテナ選択情報を要しない場合の既存のスケジューリング情報のビット数をそのまま維持することができ、既存の設備や処理を変更しなくて済む。
【００１９】
(2)或いは、アンテナ選択情報を要するか否かに依存して異なる伝送フォーマットが用意されてもよい。本手法では、ユーザＡについてのスケジューリング情報はKビットで表現されるが、ユーザＢについてのスケジューリング情報は(K−m)ビットで表現される。その結果、本手法では、アンテナ選択情報を要するか否かによらず、符号化の単位はKビットに維持できる。ユーザＡの場合はそのままＫビットが、ユーザＢの場合は(K−m)ビット＋mビット=Kビットが符号化単位になるからである。
【００２０】
スケジューリング情報のうち、アンテナ選択情報用にビット数が減らされる候補としては、リソースユニット割当情報、伝送フォーマット情報（データ変調方式及びチャネル符号化率又はデータサイズ）及び送信電力情報等が挙げられる。ビット数が減らされると、その情報で表現可能な選択肢数が減ってしまうことが懸念される。
【００２１】
しかし、アンテナ選択情報を用いた制御が必要なユーザは、概してチャネル状態の悪い環境で(例えば、セル端で)通信を行っているので、チャネル状態が良い場合にしかとりえない選択肢を無視しても実害は少ない。例えば、リソースユニット割当情報なら、チャネル状態が非常に良い場合に割り当てられるリソースユニットの組み合わせ(例えば、多くのリソースユニットを指定する組み合わせ)は、チャネル状態の悪いユーザには不要である。伝送フォーマットについても、チャネル状態が非常に良い場合にしか使用されないＭＣＳ番号は、チャネル状態の悪いユーザには不要である。送信電力についても、チャネル状態が非常に良い場合にしか使用されないような弱い送信電力は、チャネル状態の悪いユーザには使用されない。従って、アンテナ選択情報を用いるユーザについてスケジューリング情報で表現される内容の選択肢が減ったとしても実害は少ないと考えられる。アンテナ選択情報を要しないユーザＡ及びそれを要するユーザＢ双方について、符号化単位がＫビットに揃えられることで、L1/L2制御信号の伝送フォーマットを複数用意せずに済み、演算処理の簡易化を図る恩恵を受けることができる。
【００２２】
なお、スケジューリング情報のビット数が減らされた場合に、リソースユニット割当等の選択肢を減らさないように或る低度工夫することもできる。例えば、リソースユニット割当情報等の全体でなく、前回との差分だけを表現すれば、選択肢数自体は減らさなくてよいかもしれない。
【００２３】
データ信号生成部４３０は、チャネル符号化及びデータ変調等を行うことで、共有データチャネルを用いて伝送するデータ信号を用意する。
【００２４】
多重部４３６は、リファレンス信号、L1/L2制御信号及びデータ信号を自セルに在圏するユーザ装置宛てに送信するよう信号を多重する。多重化は時分割多重、周波数分割多重、符号分割多重の１以上を用いて行われてよい。
【００２５】
高速逆フーリエ変換部(IFFT)４３８は、マッピング後の信号を高速逆フーリエ変換し、OFDM方式での変調を行い、送信シンボル中の有効シンボルの部分を作成する。
【００２６】
サイクリックプレフィックス付与部(+CP)４４０は、OFDM方式で変調された信号(この段階では、有効シンボル部分)にガードインターバルを付与し、送信信号を構成するOFDMシンボルを作成する。送信信号は不図示の要素により無線送信される。サイクリックプレフィックス(Cyclic  Prefix)はガードインターバルとも呼ばれ、送信シンボル中の有効シンボルに含まれる一部分を複製することで用意することができる。
【００２７】
RF送信回４４２は、送信シンボルを無線周波数で送信するためのディジタルアナログ変換、周波数変換及び帯域制限等の処理を行う。
【００２８】
電力増幅器４４４は送信電力を調整する。
【００２９】
図５は本発明の一実施例によるユーザ装置の機能ブロック図を示す。ユーザ装置は、上りリンクにシングルキャリア方式が採用される移動通信システムで使用されることが想定されている。図５には、送信シンボル生成部３０２、離散フーリエ変換部（DFT）３０４、サブキャリアマッピング部３０６、逆高速フーリエ変換部（IFFT）３０８、サイクリックプレフィックス付加部(+CP)３１０、リファレンス信号生成部３１２、多重部３１４、RF送信回路３１６、電力増幅器３１８、送信アンテナ選択部３２０、L1/L2制御信号復調部３２２及び送信電力制御部３３０が描かれている。
【００３０】
送信シンボル生成部３０２は、上りリンクで送信される信号を用意する。送信シンボル生成部３０２は、ユーザが送信しようとしているユーザトラフィックデータ信号だけでなく、制御信号も作成する。制御信号には、上りデータ信号の伝送フォーマット(変調方式及びデータサイズ等)、上り送信電力、下りデータ信号に対する送達確認情報(ACK/NACK)、下りリンクでの受信品質(CQI)等が含まれてよい。
【００３１】
離散フーリエ変換部（DFT）３０４は離散フーリエ変換を行い、時系列の情報を周波数領域の情報に変換する。
【００３２】
サブキャリアマッピング部３０６は、周波数領域でのマッピングを行う。複数のユーザ装置の多重化に周波数分割多重化（FDM）方式が使用されてもよい。FDM方式には、ローカライズド(localized)FDM方式及びディストリビュート(distributed)FDM方式の２種類がある。
【００３３】
逆高速フーリエ変換部（IFFT）３０８は、逆フーリエ変換を行うことで、周波数領域の信号を時間領域の信号に戻す。
【００３４】
サイクリックプレフィックス付加部(+CP)３１０は、送信する情報にサイクリックプレフィックス（CP:  Cyclic  Prefix）を付加する。サイクリックプレフィックス（CP）は、マルチパス伝搬遅延および基地局における複数ユーザ間の受信タイミングの差を吸収するためのガードインターバルとして機能する。
【００３５】
リファレンス信号生成部３１２は、上りリンクで送信されるリファレンス信号を用意する。
【００３６】
多重部３１４は、送信する情報にリファレンス信号を多重し、送信シンボルを作成する。
【００３７】
RF送信回路３１６は、送信シンボルを無線周波数で送信するためのディジタルアナログ変換、周波数変換及び帯域制限等の処理を行う。
【００３８】
電力増幅器３１８は送信電力制御部３３０からの指示に従って送信電力を調整する。
【００３９】
送信電力制御部３３０は、送信信号の送信電力を基地局からの指示(スケジューリング情報中の送信電力制御情報)に従って制御する。
【００４０】
送信アンテナ選択部３２０は、基地局から通知されたアンテナ選択情報に従って及び予め決められている規則に従って送信アンテナを適宜切り替える。予め決められている規則は、例えば次のようなものでもよい：
「データ信号はアンテナ選択情報に従って選択された送信アンテナから送信される。或る一定の周期に該当するサブフレームでは、データ信号の送信に使用されていない送信アンテナから、それ以外のサブフレームではデータ信号の送信に使用されている送信アンテナからリファレンス信号が送信される。」。
【００４１】
L1/L2制御信号復調部３２２は、基地局から受信したL1/L2制御信号をチャネル復号及びデータ復調し、制御情報を抽出する。特に本実施例では、基地局で行われたチャネル符号化方式及びデータ変調方式に応じてチャネル復号及びデータ復調が行われ、スケジューリング情報及びアンテナ選択情報が導出される。上述したようにアンテナ選択情報はスケジューリング情報と共に符号化されて伝送されている。従ってこれらの情報は別々にではなく一緒にチャネル復号化される。
【００４２】
抽出されたスケジューリング情報から、リソースユニットを示す情報(リソースユニット割当情報)、ユーザ識別情報、伝送フォーマット情報（データ変調方式及びチャネル符号化率又はデータサイズ）、送信電力情報等が導出され、それらに従って下り信号の受信及び／又は上り信号の送信が行われる。この場合に使用されるアンテナ(特に、送信アンテナ)は、アンテナ選択情報に従って選択される。
【００４３】
図６は本発明の一実施例による動作例を示すフローチャートを示す。ステップS1では上りリファレンス信号の受信品質(CQI)が基地局で測定される。受信品質は、ユーザ装置毎に区別されるのはもちろんのこと、ユーザ装置に複数の送信アンテナが備わっている場合は送信アンテナも区別される。CQIの測定は、リソースユニットが割り当てられるかもしれない帯域全体(システム帯域)にわたって行われる。その結果、図４で説明されたようにCQIがユーザ装置の送信アンテナ毎に各リソースユニットについて用意される。
【００４４】
ステップS2では、測定されたCQIに基づいて基地局でスケジューリングが行われる。より良いCQIを示すユーザ装置にリソースユニットが割り当てられ、スケジューリング情報に付随して、送信アンテナを指定するアンテナ選択情報も用意される。
【００４５】
ステップS3では、スケジューリング情報及びアンテナ選択情報を含む信号がチャネル符号化され、データ変調され、L1/L2制御信号が作成される。L1/L2制御信号はユーザ装置に通知される。
【００４６】
ステップS4では、スケジューリング情報からリソースユニット割当情報、伝送フォーマット情報及び送信電力情報が導出され、それらで指定されたリソースユニット、伝送フォーマット及び送信電力で上り信号が送信される。送信時には、アンテナ選択情報で指定された送信アンテナが使用される。
【００４７】
かくて本発明の一実施例によれば、アンテナ選択情報がスケジューリング情報と共にチャネル符号化された上で伝送されるので、アンテナ選択情報の誤り率を改善することができる。
【図面の簡単な説明】
【００４８】
【図１】閉ループ型アンテナ選択ダイバーシチが行われる様子を示す図である。
【図２】２つの送信アンテナが適宜切り替えられる様子を示す図である。
【図３】本発明の一実施例による基地局のブロック図を示す。
【図４】ユーザ装置の送信アンテナ毎に各リソースユニットのCQIが用意されている様子を示す図である。
【図５】本発明の一実施例によるユーザ装置のブロック図を示す。
【図６】本発明の一実施例による動作例を示すフローチャートを示す。
【符号の説明】
【００４９】
３０２  送信シンボル生成部
３０４  離散フーリエ変換部
３０６  サブキャリアマッピング部
３０８  逆高速フーリエ変換部
３１０  サイクリックプレフィックス付加部
３１２  リファレンス信号生成部
３１４  多重部
３１６  RF送信回路
３１８  電力増幅器
３２０  送信アンテナ選択部
３２２  L1/L2制御信号復調部
３３０  送信電力制御部
４２０  リファレンス信号生成部
４２２  CQI測定部
４２４  スケジューラ
４２６  L1/L2制御信号生成部
４３０  データ信号生成部
４３６  多重部
４３８  高速逆フーリエ変換部
４４０  サイクリックプレフィックス付与部
４４２  RF送信回路
４４４  電力増幅器
【図１】
2008199423.tif 000003
【図２】
2008199423.tif 000004
【図３】
2008199423.tif 000005
【図４】
2008199423.tif 000006
【図５】
2008199423.tif 000007
【図６】
2008199423.tif 000008